(57)【要約】 【課題】１つの微細気泡液発生装置によって家全体或いはビル全体に微細気泡液を供給することができる微細気泡液供給システムを提供する。【解決手段】  量水器（水道メータ）１から戸建て住宅２内に配管３が引き込まれ、配管３の上流端は量水器１に接続され、戸外に設けられた最初の分岐部４-１において散水栓５への配管が分岐し、次いで、分岐部４-２において一階部分の配管と二階部分の配管に分岐している。前記量水器１と最初の分岐部４-１との間にはバイパス流路８が設けられ、切替弁９により本管かバイパス流路８かを選択できるようにされている。そして、この実施例にあっては、バイパス流路８に微細気泡液発生装置１０を設けている。【選択図】  図１
2019166496.tif 000002
【特許請求の範囲】
【請求項１】
水道配管の途中に微細気泡液発生装置を配設した微細気泡液供給システムであって、前記微細気泡液発生装置は量水器よりも下流側で且つ最初の配管分岐部よりも上流側に設けられていることを特徴とする微細気泡液供給システム。
【請求項２】
請求項１に記載の微細気泡液供給システムにおいて、前記量水器と最初の配管分岐部との間の配管にはバイパス流路が設けられ、このバイパス流路または量水器と最初の配管分岐部との間の配管の一方に微細気泡液発生装置が設けられていることを特徴とする微細気泡液供給システム。
【請求項３】
請求項１または請求項２に記載の微細気泡液供給システムにおいて、前記微細気泡液発生装置は、両端が前記水道配管に接続されるとともに一部が拡径された膨出部となった通水管と、キャビテーションにより微細気泡を発生させるためのノズルと、このノズルを前記膨出部内において保持するとともに通水部が形成された支持部とを備えていることを特徴とする微細気泡液供給システム。
【発明の詳細な説明】
【技術分野】
【０００１】
本発明は水道水を微細気泡液として端末治具に供給するシステムに関する。
【背景技術】
【０００２】
最近、マイクロバブル（ファインバブル）あるいはナノバブル（ウルトラファインバブル）などの微細気泡が多くの用途に応用されている。
気泡の直径が約１００μｍ以下（例えば、５０〜５００ｎｍ）の微細気泡は毛穴よりも小さな気泡が毛穴や汗腺の汚れを効果的に落とすため、美容や健康維持に利用され、また微細気泡液は各種洗浄や植物の育成にも優れていると言われている。
【０００３】
上記の洗浄効果は、微細気泡の電気的作用によると言われている。即ち、微細気泡の表面はマイナスの電荷を有しているため微細気泡同士は反発して合体することなく分散状態が維持され、一方、油や皮脂などの汚れは通常プラスに帯電しマイナスに帯電した皮膚などの被洗浄物の表面に電気的に結合している。
このような状態でマイナス電荷を帯びた微細気泡がプラス電荷を帯びた油や皮脂などに接触すると、油や皮脂などは電気的に中和されて被洗浄物の表面から分離しやすい状態となり、洗浄効果が高まる。
【０００４】
一方、微細気泡液の生成手段としては、外気を旋回流に巻き込んで強制粉砕する二相流旋回方式と、水の流路にベンチュリやオリフィスを設け、水が高速で通過する際の減圧効果（ベルヌーイの定理）により水中の溶存空気を微細気泡として引き出すキャビテーション方式、この他にも高速剪断方式や加圧圧潰方式などがある。
【０００５】
上記の微細気泡液を生成する装置の具体例として、特許文献１にはキャビテーション効果によってガス溶解効率を引き出すことができる液体処理ノズルが開示され、一例として、洗面台の混合栓とシャワーヘッドをつなぐホースの途中に液体処理ノズルを設けている。
【０００６】
特許文献２には、第１および第２のプロペラ形翼列をケーシング内に配置したマイクロバブル発生装置が開示され、このマイクロバブル発生装置の具体的な設置個所として、浴槽の循環路が示されている。
【０００７】
特許文献３には、キャビテーションを利用して溶存空気によるマイクロバブルを発生させる装置が開示され、このマイクロバブル発生装置の具体的な設置個所としては特に挙げていないが、最終段のノズルの出口に金網やメッシュ板などの多孔体を取付けるとあるので、シャワーヘッドなどの端末部と考えられる。
【０００８】
特許文献４には、マイクロバブル生成器を組み込んだシャワーヘッドが開示されている。この先行技術も前記先行技術と同様に、洗面台の混合栓にホースをつなぎ、このホースの先端にシャワーヘッドを取り付けているため、水の流路の最下流端にマイクロバブル生成器が配置されることになる。
【０００９】
特許文献５には、外箱内に配設され洗濯水が溜められる水槽と、この水槽内に連通状態で配設され洗濯物が収容される回転槽と、前記回転槽内の洗濯物に対して流体を噴射する流体噴射装置とを備えた洗濯機が開示され、特に流体噴射装置内にマイクロバブルなどの気泡発生手段を配置した構造が提案されている。
【先行技術文献】
【特許文献】
【００１０】
【特許文献１】再表２０１６-１７８４３６号公報
【特許文献２】特開２００７-０２１３４３号公報
【特許文献３】特開２００９-１３６８６４号公報
【特許文献４】特開２０１６-００２１９６号公報
【特許文献５】特開２０１６-２０９３３１号公報
【発明の開示】
【発明が解決しようとする課題】
【００１１】
上述した特許文献１〜５に開示された先行技術にあっては、いずれも微細気泡を発生する装置を、混合栓よりも下流側の配管やホース或いは末端装置（シャワーヘッドなど）内に組み込むようにしている。
【００１２】
一方、前記したように毛穴よりも小さな気泡を含んだ水道水は洗浄効果が高く、洗顔、風呂に限らず植物の育成にも役立つ。このように多くの利点がある微細気泡を含有した水を生成するために、個々の配管の末端装置或いはその直前の配管に気泡発生手段を設けていたのでは、気泡発生手段の数が多くなりコストアップになる。
【００１３】
更に、既に出来上がった家屋やビルの配管に、後から気泡液発生装置を設けるのは大掛かりな工事が必要となる。
【課題を解決するための手段】
【００１４】
上記課題を解決するため本発明に係る微細気泡液供給システムは、量水器（水道メータ）よりも下流側で且つ最初の配管分岐部よりも上流側に微細気泡液発生装置を配設する構成とした。ここで、量水器（水道メータ）としては親メータに限らず小メータも含む。
【００１５】
微細気泡液発生装置は両端を配管に接続するが、接続する配管としては量水器と最初の配管分岐部との間の一部にバイパス配管を設け、このバイパス配管か本管の何れかに微細気泡液発生装置を設け、切替弁でバイパス配管か本管の一方に水道水を流すようにすることができる。尚、バイパス配管は必ずしも設ける必要はない。
【００１６】
また、前記微細気泡液発生装置としては、例えば両端が前記水道配管に接続されるとともに一部が拡径された膨出部となった通水管と、キャビテーションにより微細気泡を発生させるためのノズルと、このノズルを前記膨出部内において保持するとともに通水部が形成された支持部とを備えたものが考えられる。
【発明の効果】
【００１７】
本発明によれば、１つの微細気泡液発生装置によって家全体或いはビル全体に微細気泡液を供給することができる。したがって、配管の端末毎に微細気泡液発生装置を取付ける必要がないので、コスト的に有利となる。
【００１８】
また、水道配管の一部にバイパス流路を設け、このバイパス流路かこれと平行な配管のどちらかに微細気泡液発生装置を設けるようにした場合には、何らかの理由により微細気泡を含まない水がほしくなった時に、流路を切り替えるだけ済むため、微細気泡液発生装置を取付けることに抵抗感がなくなる。
【図面の簡単な説明】
【００１９】
【図１】本発明に係る微細気泡液供給システムの全体図
【図２】微細気泡液発生装置の一例を示す断面図
【図３】切替バルブの一例を示す断面図
【図４】別実施例に係る微細気泡液供給システムの全体図
【発明を実施するための最良の形態】
【００２０】
図１は本発明に係る微細気泡液供給システムを戸建て住宅に適用した例であり、量水器（水道メータ）１から戸建て住宅２内に配管３が引き込まれている。
【００２１】
配管３の上流端は量水器１に接続され、戸外に設けられた最初の分岐部４-１において散水栓５への配管が分岐し、次いで、分岐部４-２において一階部分の配管と二階部分の配管に分岐している。
【００２２】
一階部分の配管では、分岐部４-３にてキッチンに分岐し、分岐部４-４にて洗濯機に分岐し、分岐部４-５にてトイレに分岐し、二階部分の配管では、分岐部４-６にて洗面台に分岐し、分岐部４-７にて風呂場に分岐し、分岐部４-８にて給湯器に分岐している。一階部分の配管と二階部分の配管は合流部６で合流した後、下水管７に捨てられる。
【００２３】
前記量水器１と最初の分岐部４-１との間にはバイパス流路８が設けられ、切替弁９により本管かバイパス流路８かを選択できるようにされている。そして、この実施例にあっては、バイパス流路８に微細気泡液発生装置１０を設けている。
【００２４】
微細気泡液発生装置１０の構造は図２に示すように、両端が水道水配管に接続される通水管１１と、通水管１１の中央部に形成された膨出部１２内に配置されたノズル１３と、このノズル１３を膨出部１２内に保持する支持部材１４とで構成される。
【００２５】
通水管１１は管体１１Ａと管体１１Ｂを接続して形成され、管体１１Ａと管体１１Ｂは互いに対峙している端部がそれぞれ拡径されている。管体１１Ｂの拡径部の径は、管体１１Ａの拡径部の径よりも大きく、管体１１Ａの拡径部が管体１１Ｂの拡径部に挿入されて、それぞれの内周及び外周に形成されたネジを螺合させて接続している。
【００２６】
支持部材１４は内側リング１５と外側リング１６とこれら内側リング１５と外側リング１６とをつなぐ板状連結部１７とからなり、内側リング１５の内側にノズル１３が螺合して保持され、外側リング１６は前記管体１１Ａと管体１１Ｂとの間にスプリング（クッション材）１８を介して保持され、連結部１７と連結部１７との間は流路となっている。
【００２７】
ノズル１３は筒状をなし、内側流路１９はオリフィス状に絞られ、内側流路１９の上流端には取水プレート２０が取付けられている。この取水プレート２０は円盤状をなし、厚み方向に貫通穴２１が形成されている。貫通穴２１は等間隔で複数、例えば４つ穿設され、且つ貫通穴２１は軸方向に対し捩じれている。その結果、貫通穴を通過した水流にはひねりが加えられ、更にオリフィス状に絞られた部分を通過するため、キャビテーション効果が有効に作用し、水中に溶解している気体が微細な気泡となって水中に引き出される。
【００２８】
前記切替弁９は図３に示すように、配管３が挿入される開口２２、２３とバイパス流路８の配管が挿入される開口２４が形成され、これら開口２２、２３、２４とが直交する部分に円形の部屋２５が形成され、この部屋２５内に各開口２２、２３、２４を選択的に塞ぐ弁体２６が外部操作によって回転可能に収納されている。
【００２９】
図３の状態では、量水器１を通過した水はバイパス流路８に入らずストレートに供給される。一方、図に示す状態から弁体２６を反時計方向に９０°回転させると、量水器１を通過した水はバイパス流路８に入り、微細気泡液発生装置１０内を通過し、微細気泡が含まれた水が家庭内の各端末まで供給される。弁体２６の回転操作は遠隔操作により行うようにしてもよい。
【００３０】
図４は本発明に係る微細気泡液供給システムをマンションに適用した例であり、量水器（親メータ）１から一旦地上の受水槽２７に溜められ、この受水槽２７内の水をポンプ２８、配管２９を介して屋上の受水槽３０に送り、この受水槽３０から各家庭に分岐部および子メータ３１を介して供給される構造になっている。
【００３１】
この実施例にあっても、ポンプ２８と屋上の受水槽３０とをつなぐ配管２９の途中に切替弁３２及びバイパス路３３を設け、この実施例にあっては、配管２９に微細気泡液発生装置１０を設けている。微細気泡液発生装置１０にて発生した微細気泡は、一旦受水槽３０内で保持されるが、微細気泡の表面は負に帯電しているため微細気泡同士が反発し水中から消失しにくく、各家庭で使用されるまでの間、微細気泡は水中に留まる。
【００３２】
マンションでは、各家庭ごとの水道水使用量を測る子メータ３１が設けられている。各家庭ごとに好みも異なり、全ての家庭が微細気泡が含まれている水道水を要求しないことも考えられる。このようなことを想定し、子メータ３１とその下流側の最初の分岐部との間の配管にバイパス流路８及び微細気泡液発生装置１０を設けるようにすることもできる。
【産業上の利用可能性】
【００３３】
図示例にあっては、微細気泡液発生装置として、キャビテーション方式のものを示したが、二相流旋回方式、高速剪断方式、加圧圧潰方式など特に限定されるものではない。また、気泡としては空気に限らず、炭酸ガス、酸素ガス、水素ガスなども用いることが可能である。
【００３４】
また、実施例としてはキャビテーション効果により水中に溶存している空気を引き出すようにしたが、外部から炭酸ガスを供給し、炭酸ガスの微細気泡を含む液を生成することも考えられる。
【符号の説明】
【００３５】
１…量水器（水道メータ）、
２…戸建て住宅、
３…配管、
４-１〜４-８…分岐部、
５…散水栓、
６…合流部、
７…下水管、
８…バイパス流路、
９…切替弁、
１０…微細気泡液発生装置、
１１…通水管、１１Ａ，１１Ｂ…管体、
１２…膨出部、
１３…ノズル、
１４…支持部材、
１５…内側リング、
１６…外側リング、
１７…連結部、
１８…スプリング（クッション材）、
１９…内側流路、
２０…取水プレート、
２１…貫通穴、
２２〜２４…開口、
２５…部屋、
２６…弁体、
２７，３０…受水槽、
２８…ポンプ、
２９…配管、
３１…子メータ、
３２…切替弁、
３３…バイパス路。
【図１】
2019166496.tif 000003
【図２】
2019166496.tif 000004
【図３】
2019166496.tif 000005
【図４】
2019166496.tif 000006
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
水道配管の途中に微細気泡液発生装置を配設した微細気泡液供給システムであって、前記微細気泡液発生装置は量水器よりも下流側で且つ屋上の受水槽よりも上流側に設けられていることを特徴とする微細気泡液供給システム。
【請求項２】
請求項１に記載の微細気泡液供給システムにおいて、前記屋上の受水槽へ水を供給するポンプと受水槽とをつなぐ配管にバイパス流路が設けられ、この配管またはバイパス流路に前記微細気泡液発生装置が設けられていることを特徴とする微細気泡液供給システム。
【手続補正２】
【補正対象書類名】明細書
【補正対象項目名】００１９
【補正方法】変更
【補正の内容】
【００１９】
【図１】参考例に係る微細気泡液供給システムの全体図
【図２】微細気泡液発生装置の一例を示す図
【図３】切替バブルの一例を示す断面図
【図４】本発明に係る微細気泡液供給システムの全体図
【手続補正３】
【補正対象書類名】明細書
【補正対象項目名】００２０
【補正方法】変更
【補正の内容】
【００２０】
図１は参考例に係る微細気泡液供給システムを戸建て住宅に適用した例であり、量水器（水道メータ）１から戸建て住宅２内に配管３が引き込まれている。
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
水道配管の途中に微細気泡液発生装置を配設した微細気泡液供給システムであって、前記微細気泡液発生装置は水道水配管に接続される通水管内に設けた絞り部を通過する際のキャビテーション効果によって気泡を発生させ、また前記微細気泡液発生装置は量水器よりも下流側で且つ屋上の受水槽よりも上流側に設けられ、前記屋上の受水槽へ水を供給するポンプと受水槽とを配管にバイパス流路が設けられ、この配管またはバイパス流路に前記微細気泡液発生装置が設けられていることを特徴とする微細気泡液供給システム。
【手続補正２】
【補正対象書類名】明細書
【補正対象項目名】００３３
【補正方法】削除
【補正の内容】
【手続補正３】
【補正対象書類名】明細書
【補正対象項目名】００３４
【補正方法】削除
【補正の内容】